(57)【要約】【課題】放送受信装置がユーザが想定していたものと異なる動作をする場合に、放送受信装置が故障しているとユーザが誤認する可能性を低減する。【解決手段】メモリに格納された番組識別情報が示す放送番組の放送が開始すると受信中の放送信号から当該放送番組のデータを取得してディスプレイに出力する放送受信装置であって、ユーザに指定された放送番組の番組識別情報と開始時刻とを対応付けて前記メモリに格納する予約手段と、現在時刻が前記メモリに格納された開始時刻に一致又は接近すると、当該開始時刻に対応する番組識別情報が示す放送番組の開始時刻を受信中の放送信号から取得し、当該取得した開始時刻が前記メモリに格納された開始時刻よりも遅い場合にユーザに通知する制御手段と、を備えることを特徴とする放送受信装置を提供する。【選択図】図２
2009303183.tif 000002
【特許請求の範囲】
【請求項１】
メモリに格納された番組識別情報が示す放送番組の放送が開始すると受信中の放送信号から当該放送番組のデータを取得してディスプレイに出力する放送受信装置であって、
ユーザに指定された放送番組の番組識別情報と開始時刻とを対応付けて前記メモリに格納する予約手段と、
現在時刻が前記メモリに格納された開始時刻に一致又は接近すると、当該開始時刻に対応する番組識別情報が示す放送番組の開始時刻を受信中の放送信号から取得し、当該取得した開始時刻が前記メモリに格納された開始時刻よりも遅い場合にユーザに通知する制御手段と、
を備えることを特徴とする放送受信装置。
【請求項２】
前記制御手段は、前記受信中の放送信号から取得した開始時刻が前記メモリに格納された開始時刻よりも遅い場合であっても、当該放送受信装置が前記メモリに格納された開始時刻に対応する番組識別情報が示す放送番組の前の放送番組を前記ディスプレイに出力中の場合、ユーザに対する通知を行わないことを特徴とする請求項１に記載の放送受信装置。
【請求項３】
ユーザに指定された当該放送受信装置の電源をオフにする時刻を前記メモリに格納する格納手段と、
前記メモリに格納された電源をオフにする時刻に、当該放送受信装置が前記メモリに格納された番組識別情報が示す放送番組のデータを出力中でない場合に、当該放送受信装置の電源をオフにする電源オフ手段と、
を更に備え、
前記制御手段は、前記メモリに格納された電源をオフにする時刻に、当該放送受信装置が前記メモリに格納された番組識別情報が示す放送番組のデータを出力中である場合に、ユーザに通知する
ことを特徴とする請求項１又は２に記載の放送受信装置。
【請求項４】
前記制御手段は、前記ディスプレイとは異なるサブディスプレイにメッセージを出力することによりユーザに対する通知を行うことを特徴とする請求項１乃至３のいずれか１項に記載の放送受信装置。
【請求項５】
メモリに格納された番組識別情報が示す放送番組の放送が開始すると、当該放送番組の番組識別情報に対応付けて前記メモリに格納された装置識別情報が示す録画装置に対して当該放送番組の録画を指示する放送受信装置であって、
ユーザに指定された放送番組の番組識別情報と録画装置の装置識別情報とを対応付けて前記メモリに格納する予約手段と、
前記メモリに格納された番組識別情報が示す放送番組の放送が開始すると、当該番組識別情報に対応する装置識別情報が示す録画装置が当該放送番組の録画を実行可能か否かを判定し、実行可能でないと判定された場合にユーザに通知する制御手段と、
を備えることを特徴とする放送受信装置。
【請求項６】
前記制御手段は、前記メモリに格納された番組識別情報に対応する装置識別情報が示す録画装置が当該番組識別情報が示す放送番組の録画を実行可能でないと判定された場合、当該録画装置とは異なる録画装置に当該放送番組の録画を指示するように当該放送受信装置を制御する
ことを特徴とする請求項５に記載の放送受信装置。
【請求項７】
メモリに格納された番組識別情報が示す放送番組の放送が開始すると受信中の放送信号から当該放送番組のデータを取得してディスプレイに出力する放送受信装置の制御方法であって、
ユーザに指定された放送番組の番組識別情報と開始時刻とを対応付けて前記メモリに格納する予約工程と、
現在時刻が前記メモリに格納された開始時刻に一致又は接近すると、当該開始時刻に対応する番組識別情報が示す放送番組の開始時刻を受信中の放送信号から取得し、当該取得した開始時刻が前記メモリに格納された開始時刻よりも遅い場合にユーザに通知する制御工程と、
を備えることを特徴とする制御方法。
【請求項８】
メモリに格納された番組識別情報が示す放送番組の放送が開始すると、当該放送番組の番組識別情報に対応付けて前記メモリに格納された装置識別情報が示す録画装置に対して当該放送番組の録画を指示する放送受信装置の制御方法であって、
ユーザに指定された放送番組の番組識別情報と録画装置の装置識別情報とを対応付けて前記メモリに格納する予約工程と、
前記メモリに格納された番組識別情報が示す放送番組の放送が開始すると、当該番組識別情報に対応する装置識別情報が示す録画装置が当該放送番組の録画を実行可能か否かを判定し、実行可能でないと判定された場合にユーザに通知する制御工程と、
を備えることを特徴とする制御方法。
【発明の詳細な説明】
【技術分野】
【０００１】
本発明は、放送受信装置、及びその制御方法に関する。
【背景技術】
【０００２】
現在、ユーザによる設定などに従って様々な動作を自動的に行う機能を備える放送受信装置（例えば、デジタルテレビ）が普及している。このような機能として、例えば、放送番組の予約機能（視聴予約機能や録画予約機能）が知られている。予約機能によれば、放送受信装置は、ユーザが指定した放送番組（以下、「予約番組」と呼ぶ）の放送が開始すると動作を開始し、予約番組をディスプレイや録画装置へ出力する。
【０００３】
放送番組の開始時刻は変更されることがある。例えば、野球の試合が予定より長引いた場合に、野球中継の放送時間が延長され、次の放送番組の開始時刻が遅らされる。最近普及している放送受信装置は、予約番組の開始時刻が変更されると、それに連動して動作の開始時刻を自動的に変更する機能を備えるものが多い。従って、放送受信装置は、ユーザが想定していたものと異なる動作をする場合がある。
【０００４】
従来の技術として、装置が自動的に動作する場合に、どのような動作を行っているかをユーザに通知するものが知られている（例えば、特許文献１参照）
また、従来の装置には、ユーザが装置の「お知らせ機能」などで装置の動作履歴を確認することにより、装置が予定とは違う動作を行った場合に、そのことをその動作の事後に確認できるものもあった（例えば、特許文献２参照）。
【特許文献１】特開２００６−２９５３５１号公報
【特許文献２】特許第３４７３３５２号明細書
【発明の開示】
【発明が解決しようとする課題】
【０００５】
放送受信装置がユーザが想定していたものと異なる動作をすると、放送受信装置が故障しているとユーザが誤認する可能性がある。例えば、予約番組の当初の開始時刻になってもその番組がディスプレイに表示されない場合、ユーザは視聴予約機能が正しく動作していないのではないかと考える可能性がある。
【０００６】
特許文献１の技術では、装置が実際に何らかの動作を行ったことをユーザに通知することはできても、何らかの理由により動作そのものを行わないことをユーザに通知することはできない。また、特許文献２のように放送受信装置が「お知らせ機能」を備える場合でも、ユーザが装置の動作を確認できるのはその動作が実際に行われた後であるため、動作が行われない理由をリアルタイムで知ることはできない。加えて、動作履歴を確認するためにユーザは装置を操作する必要があるため、ユーザにとって煩雑である。
【０００７】
本発明はこのような状況に鑑みてなされたものであり、放送受信装置がユーザが想定していたものと異なる動作をする場合に、放送受信装置が故障しているとユーザが誤認する可能性を低減する技術を提供することを目的とする。
【課題を解決するための手段】
【０００８】
上記課題を解決するために、第１の本発明は、メモリに格納された番組識別情報が示す放送番組の放送が開始すると受信中の放送信号から当該放送番組のデータを取得してディスプレイに出力する放送受信装置であって、ユーザに指定された放送番組の番組識別情報と開始時刻とを対応付けて前記メモリに格納する予約手段と、現在時刻が前記メモリに格納された開始時刻に一致又は接近すると、当該開始時刻に対応する番組識別情報が示す放送番組の開始時刻を受信中の放送信号から取得し、当該取得した開始時刻が前記メモリに格納された開始時刻よりも遅い場合にユーザに通知する制御手段と、を備えることを特徴とする放送受信装置を提供する。
【０００９】
また、第２の本発明は、メモリに格納された番組識別情報が示す放送番組の放送が開始すると、当該放送番組の番組識別情報に対応付けて前記メモリに格納された装置識別情報が示す録画装置に対して当該放送番組の録画を指示する放送受信装置であって、ユーザに指定された放送番組の番組識別情報と録画装置の装置識別情報とを対応付けて前記メモリに格納する予約手段と、前記メモリに格納された番組識別情報が示す放送番組の放送が開始すると、当該番組識別情報に対応する装置識別情報が示す録画装置が当該放送番組の録画を実行可能か否かを判定し、実行可能でないと判定された場合にユーザに通知する制御手段と、を備えることを特徴とする放送受信装置を提供する。
【００１０】
また、第３の本発明は、メモリに格納された番組識別情報が示す放送番組の放送が開始すると受信中の放送信号から当該放送番組のデータを取得してディスプレイに出力する放送受信装置の制御方法であって、ユーザに指定された放送番組の番組識別情報と開始時刻とを対応付けて前記メモリに格納する予約工程と、現在時刻が前記メモリに格納された開始時刻に一致又は接近すると、当該開始時刻に対応する番組識別情報が示す放送番組の開始時刻を受信中の放送信号から取得し、当該取得した開始時刻が前記メモリに格納された開始時刻よりも遅い場合にユーザに通知する制御工程と、を備えることを特徴とする制御方法を提供する。
【００１１】
また、第４の本発明は、メモリに格納された番組識別情報が示す放送番組の放送が開始すると、当該放送番組の番組識別情報に対応付けて前記メモリに格納された装置識別情報が示す録画装置に対して当該放送番組の録画を指示する放送受信装置の制御方法であって、ユーザに指定された放送番組の番組識別情報と録画装置の装置識別情報とを対応付けて前記メモリに格納する予約工程と、前記メモリに格納された番組識別情報が示す放送番組の放送が開始すると、当該番組識別情報に対応する装置識別情報が示す録画装置が当該放送番組の録画を実行可能か否かを判定し、実行可能でないと判定された場合にユーザに通知する制御工程と、を備えることを特徴とする制御方法を提供する。
【００１２】
なお、その他の本発明の特徴は、添付図面及び以下の発明を実施するための最良の形態における記載によって更に明らかになるものである。
【発明の効果】
【００１３】
以上の構成により、本発明によれば、放送受信装置がユーザが想定していたものと異なる動作をする場合に、放送受信装置が故障しているとユーザが誤認する可能性を低減することが可能となる。
【発明を実施するための最良の形態】
【００１４】
以下、添付図面を参照して、本発明の実施例を説明する。以下で説明される個別の実施例は、本発明の上位概念から下位概念までの種々の概念を理解するために役立つであろう。
【００１５】
なお、本発明の技術的範囲は、特許請求の範囲によって確定されるのであって、以下の個別の実施例によって限定されるわけではない。また、実施例の中で説明されている特徴の組み合わせすべてが、本発明に必須とは限らない。
【実施例１】
【００１６】
実施例１では、ユーザに指定された放送番組（予約番組）の放送が開始するとこの放送番組をディスプレイに表示する放送受信装置について説明する。即ち、本実施例は視聴予約機能に関して説明するものであるが、録画予約機能に対しても適用可能である。また、本実施例に係る放送受信装置は、予約番組の放送開始時にディスプレイの電源がオフの場合、ディスプレイの電源をオンにする。
【００１７】
図１は、実施例１に係る放送受信装置１００の構成を示す機能ブロック図である。
【００１８】
図１において、放送波受信部１０１は、アンテナ１１３から受信した放送波（放送信号）をデジタル信号に変換する。
【００１９】
番組情報抽出部１０２は、デジタル信号に変換された放送波の中から放送番組の識別子（番組識別情報）や、放送開始時刻などの情報を含むＥＩＴ(Event Information Table)を抽出する。
【００２０】
番組情報保持部１０３は、番組情報抽出部１０２から出力されたＥＩＴを記憶するものであり、放送番組に関する情報を保持する。
【００２１】
設定情報保持部１０４は、予約番組の識別子や、予約が行われた時点で予定されている予約番組の放送開始時刻などの情報を含む、予約情報を記憶（格納）する。設定情報保持部１０４は例えば、ＳＲＡＭなどのメモリを含む。
【００２２】
予約タイマ処理部１０５は、現在時刻を保持しており、また、設定情報保持部１０４から予約番組の識別子及び開始時刻を取得する。予約タイマ処理部１０５は、現在時刻が予約番組の放送開始時刻（又は開始時刻の所定時間前）になったか否か（即ち、現在時刻が開始時刻に一致又は接近したか否か）を判定し、なった場合には動作判定部１０６にその旨を通知する。このとき、予約タイマ処理部１０５は、予約番組の識別子を動作判定部１０６に渡す。
【００２３】
動作判定部１０６は、予約タイマ処理部１０５から通知を受けると、番組情報保持部１０３と設定情報保持部１０４の情報を比較して、動作を決定する。ここでの動作の詳細は、図２を参照して後述する。
【００２４】
表示制御部１０７は、サブディスプレイ１１１を制御して動作の状態（ユーザに対するメッセージ）を表示する。
【００２５】
メインディスプレイ１１２は、動作判定部１０６からの指示に従って放送番組を表示する。
【００２６】
図１では、サブディスプレイ１１１とメインディスプレイ１１２とが別々に記載されているが、サブディスプレイ１１１とメインディスプレイ１１２とは一体として構成されていてもよい。例えば、メインディスプレイ１１２の表示領域の一部が、サブディスプレイ１１１として利用される。
【００２７】
ここで、ユーザが放送番組を予約する手順の一例を簡単に説明する。放送受信装置１００は、リモコン（不図示）を介したユーザの指示に従い、電子番組表（ＥＰＧ）をメインディスプレイ１１２に表示する。放送受信装置１００は、ユーザが電子番組表上で指定した放送番組のその時点での開始時刻を番組情報保持部１０３から取得する。そして、ユーザが指定した放送番組の識別子（番組識別情報）と、取得した開始時刻とを対応付けて設定情報保持部１０４に格納する。
【００２８】
図２は、放送受信装置１００の動作判定部１０６が実行する処理の流れを示すフローチャートである。現在時刻が設定情報保持部１０４に格納されている開始時刻（又は開始時刻の所定時間前）になった旨の通知を予約タイマ処理部１０５から受けると、動作判定部１０６は本フローチャートの処理を開始する。
【００２９】
Ｓ２０１で、動作判定部１０６は、予約タイマ処理部１０５から予約番組の識別子を取得する。また、取得した識別子に対応する開始時刻を、設定情報保持部１０４から取得する。このとき取得される開始時刻は、予約番組の予約時における開始予定時刻である。
【００３０】
Ｓ２０２で、動作判定部１０６は、予約番組の現時点での開始時刻を、現時点で受信中の放送波から番組情報保持部１０３を介して取得する。
【００３１】
Ｓ２０３で、動作判定部１０６は、予約番組の放送が開始するか否かを判定し、開始する場合はＳ２０６へ、開始しない場合はＳ２０４へ進む。具体的には、Ｓ２０２で受信中の放送波から取得した開始時刻が設定情報保持部１０４から取得した開始時刻（予約時の開始予定時刻）よりも遅い場合に、予約番組の放送が開始しないと判断し、Ｓ２０４に進む。この場合に、前の番組が延長されたなどの理由で予約番組の開始時刻が変更になったと考えられるからである。
【００３２】
Ｓ２０４で、動作判定部１０６は、表示制御部１０７を介して、予約番組の表示動作を行わない理由をサブディスプレイ１１１に表示する。
【００３３】
Ｓ２０５で、動作判定部１０６は、設定情報保持部１０４に格納されている開始時刻をＳ２０２で取得した開始時刻で更新し、Ｓ２０２に戻る。
【００３４】
Ｓ２０３において予約番組の放送が開始すると判断された場合、Ｓ２０６で、動作判定部１０６は、予約番組のデータを取得するように放送波受信部１０１などを制御し、メインディスプレイ１１２に予約番組の内容を表示する。また、メインディスプレイ１１２の電源がオフ状態の場合、メインディスプレイ１１２の起動を行い、電源をオン状態にする。
【００３５】
図３は、実施例１における予約番組の放送時間と放送受信装置１００の状態との関係を示す図である。図３の横軸方向は時間の経過を表す。
【００３６】
予約番組の予約を行った時点で予定していた放送時間が予定放送時間３１１のように時刻Ｔ３０１から時刻Ｔ３０３であるものとする。そして、予約番組の放送時間がその前に放送されている放送番組の延長等の理由により予定よりも遅れて、実放送時間３１２のように時刻Ｔ３０２から時刻Ｔ３０４に変更されたものとする。
【００３７】
放送受信装置１００は、予約番組の実際の放送時間にあわせて時刻Ｔ３０２から時刻Ｔ３０４までの間、メインディスプレイ表示状態３１３に示すように予約番組の内容の表示を行う。この場合、ユーザが予約を行った時点では表示を行う予定であった時刻Ｔ３０１から時刻Ｔ３０２までの間、メインディスプレイ１１２は予約番組の表示を行わず、更には電源がオフの状態のままである場合もある。従って、その状態を見るだけではユーザは放送受信装置１００が誤作動しているのではないかと誤認する可能性がある。
【００３８】
そこで、図２のＳ２０４を参照して説明したように、放送受信装置１００は、サブディスプレイ表示状態３１４に示すように時刻Ｔ３０１から時刻Ｔ３０２までの間、予約番組の表示動作を行わない理由をサブディスプレイ１１１に表示する。
【００３９】
具体的には例えば、予約番組の開始が遅れているためにメインディスプレイ１１２が予約番組の表示を行っていない状態を継続する旨のメッセージ「予約番組の開始が遅れているためＯＦＦ状態を継続します」を表示する。メッセージの内容は、メインディスプレイ１１２の状態に応じて変化し得る。例えば、メインディスプレイ１１２の電源がオンの場合は「ＯＦＦ状態を継続します」の部分は表示せず、「予約番組の開始が遅れています」と表示してもよい。
【００４０】
図４（Ａ）は、放送受信装置１００の表示状態の一例を示す図である。また、前述のようにサブディスプレイ１１１とメインディスプレイ１１２とが一体に構成されている場合は、図４（Ｂ）のような表示状態になる。
【００４１】
以上の処理により、ユーザは時刻Ｔ３０１から時刻Ｔ３０２までの間、メインディスプレイ１１２に予約番組が表示されない理由をサブディスプレイ１１１の表示により知ることができる。従って、放送受信装置１００が誤作動しているのではないかと誤認する可能性が減少する。
【００４２】
本実施例は、メインディスプレイ１１２の電源がオンの状態である場合にも有効であるが、予約番組の放送開始時にメインディスプレイ１１２の電源がオフからオンに変化する場合に特に有効である。
【００４３】
また、放送受信装置１００は、サブディスプレイ１１１を使用する代わりにスピーカ（不図示）を使用して、予約番組の表示動作を行わない理由をユーザに通知してもよい。重要なことは、誤動作ではなく正当な理由でユーザが想定している動作とは異なる動作をしているということをユーザに通知することである。
【００４４】
以上説明したように、本実施例によれば、放送受信装置は、ユーザが想定していたものと異なる動作をする場合に、ユーザに対する通知を行う。
【００４５】
これにより、放送受信装置が故障しているとユーザが誤認する可能性を低減することが可能となる。
【００４６】
＜変形例＞
図５は、実施例１の変形例を示すフローチャートである。変形例では、動作判定部１０６は、メインディスプレイ１１２の表示状態も加味してサブディスプレイ１１１への表示を行うか否かを決定する。図５において、図２の各ステップと同一の処理を行うステップには同一の符号を付し、説明を省略する。
【００４７】
変形例では、Ｓ２０３において予約番組の放送が開始しないと判断された場合、処理はＳ２０７に進む。
【００４８】
Ｓ２０７で、動作判定部１０６は、メインディスプレイ１１２の表示状態を取得する。
【００４９】
Ｓ２０８で、動作判定部１０６は、Ｓ２０７で取得した表示状態に基づき、メインディスプレイ１１２が表示中であるか否かを判定する。表示中の場合はＳ２０９に進み、表示中でない場合はＳ２０４に進む。
【００５０】
Ｓ２０９で、動作判定部１０６は、メインディスプレイ１１２が予約番組の状態を確認できる表示を行っているか否かを判定する。行っている場合はＳ２０５に進み、行っていない場合はＳ２０４に進む。具体的には例えば、メインディスプレイ１１２が予約番組の前の放送番組を表示している場合に、動作判定部１０６は、メインディスプレイ１１２が予約番組の状態を確認できる表示を行っていると判断する。
【００５１】
このように、変形例では、放送受信装置１００が予約番組の表示動作を行わない理由をユーザがメインディスプレイ１１２の表示状態から理解できそうな場合、サブディスプレイ１１１を用いた通知は行われない。
【実施例２】
【００５２】
実施例２では、ユーザに指定された放送番組（予約番組）の放送が開始するとこの放送番組の録画を録画装置に指示する放送受信装置について説明する。即ち、本実施例は録画予約機能に関して説明するものであるが、視聴予約機能に対しても適用可能である。
【００５３】
図６は、実施例２に係る放送受信装置６００と録画装置との接続関係を示す図である。放送受信装置６００は、録画装置６１１及び録画装置６１２に接続されており、ユーザが指定した録画装置を用いて予約番組を録画する。ユーザが指定した録画装置が録画を実行可能でない場合（例えば、予約番組以外の放送番組を録画中である場合）は、放送受信装置６００は、ユーザが指定した録画装置以外の録画装置を用いて予約番組を録画する。
【００５４】
録画装置６１１及び録画装置６１２は、例えばＨＤＤレコーダであり、放送番組のデータをＨＤＤに格納することにより、放送番組の録画を行う。
【００５５】
図６では、２つの録画装置が放送受信装置６００に接続されているが、録画装置の数は３つ以上でもよいし、１つでもよい。１つの場合、ユーザが指定した録画装置が録画を実行可能でない場合、放送受信装置６００は例えば録画を中止する。
【００５６】
図７は、放送受信装置６００の構成を示す機能ブロック図である。図７において、図１と同一又は同様の機能を持つブロックには同一の符号を付し、説明を省略する。
【００５７】
設定情報保持部７０４は、予約番組の識別子や、予約が行われた時点で予定されている予約番組の放送開始時刻や、予約番組を録画する録画装置の識別子（装置識別情報）などの情報を含む、予約情報を記憶（格納）する。設定情報保持部７０４は例えば、ＳＲＡＭなどのメモリを含む。
【００５８】
動作判定部７０６は、予約タイマ処理部１０５から通知を受けると、番組情報保持部１０３と設定情報保持部７０４の情報を比較して、予約番組の放送が開始するか否かを判定する。予約番組の放送が開始すると、動作判定部７０６は、設定情報保持部７０４と録画装置制御部７１２の情報を参照して、動作を決定する。ここでの動作の詳細は、図８を参照して後述する。
【００５９】
録画装置制御部７１２は、放送受信装置６００に接続されている録画装置に対して録画開始および録画停止を指示する。そして、どの録画装置に対して録画を指示したか、即ちその録画装置が録画中であるかの情報を録画装置の識別子と共に保持する。
【００６０】
ここで、ユーザが放送番組を予約する手順の一例を簡単に説明する。放送受信装置６００は、リモコン（不図示）を介したユーザの指示に従い、電子番組表（ＥＰＧ）及び利用可能な録画装置のリストをメインディスプレイ（不図示）に表示する。放送受信装置６００は、ユーザが電子番組表上で指定した放送番組のその時点での開始時刻を番組情報保持部１０３から取得する。そして、ユーザが指定した放送番組の識別子（番組識別情報）と、取得した開始時刻と、ユーザが指定した録画装置の識別子（装置識別情報）とを対応付けて設定情報保持部７０４に格納する。
【００６１】
図８は、放送受信装置６００の動作判定部７０６が実行する処理の流れを示すフローチャートである。動作判定部７０６は、予約番組の放送が開始すると、本フローチャートの処理を開始する。
【００６２】
Ｓ８０１で、動作判定部７０６は、予約番組の識別子に対応する録画装置の識別子を設定情報保持部７０４から取得する。
【００６３】
Ｓ８０２で、動作判定部７０６は、Ｓ８０１で取得した識別子が示す録画装置の状態の情報を録画装置制御部７１２から取得する。
【００６４】
Ｓ８０３で、動作判定部７０６は、Ｓ８０２で取得した情報に基づいて、Ｓ８０１で取得した識別子が示す録画装置が予約番組の録画を実行可能であるか否かを判定する。実行可能であればＳ８０６に進み、そうでなければＳ８０４に進む。
【００６５】
Ｓ８０４で、動作判定部７０６は、録画装置制御部７１２からの情報を基に利用可能な録画装置を検索し、見つかった録画装置を予約番組の録画先として設定する。
【００６６】
Ｓ８０５で、動作判定部７０６は、表示制御部１０７を介して、予約番組の録画先を変更した旨のメッセージをサブディスプレイ１１１に表示する。
【００６７】
Ｓ８０６で、動作判定部７０６は、録画装置制御部７１２を使用して、予約番組の録画先となる録画装置に対して録画開始を指示する。
【００６８】
図９は、放送受信装置６００における予約状態の例を示す図である。放送受信装置６００は、図６に示すように録画装置６１１及び録画装置６１２と接続しているものとする。
【００６９】
放送受信装置６００は、予約状態９１１に示すように、録画装置６１１に対して時間帯の連続する２つの放送番組を録画するように設定されている（予約Ａ、予約Ｂ）。また、録画装置６１２に対しては予約状態９１２に示すように予約が設定されていないものとする。
【００７０】
図１０は、図９に示す予約状態において予約番組の放送時間が変更された場合の放送受信装置６００の動作を示す図である。
【００７１】
予約Ａの放送番組の放送時間が変更され、９：００から１０：００の予定が９：２０から１０：２０になったものとする。一方、予約Ｂの放送番組の放送時間は予定通り１０：００から１１：００のままであるとする。放送時間が重なることにより、録画装置６１１で予約Ａと予約Ｂの両方の放送番組を録画できなくなる。この場合、放送受信装置６００は、予約状態１０１１及び予約状態１０１２に示すように、録画装置６１１で行う予定であった予約Ｂを録画装置６１２で行うように変更する。
【００７２】
このとき、ユーザが設定した予約状態では動作しないはずの録画装置６１２が予約状態の変更により動作するようになるのを見ると、ユーザは放送受信装置６００又は録画装置６１２が誤作動しているのではないかと誤認する可能性がある。
【００７３】
そこで、放送受信装置６００は、表示状態１０１３に示すように、表示制御部１０７を介して、予約番組の録画先を変更した旨のメッセージをサブディスプレイ１１１に表示する。ここでのメッセージは例えば、「予約Ａの番組が遅れたので予約Ｂを録画装置６１２で実行します」というものである。録画装置６１１の代わりに利用可能な録画装置が存在しない場合は、「予約Ａの番組が遅れたので予約Ｂの録画を中止します」というメッセージが表示されてもよい。
【００７４】
以上説明したように、本実施例によれば、放送受信装置は、ユーザが想定していたものと異なる動作をする場合（具体的には、指定された録画装置とは異なる録画装置を用いて録画を行う場合）に、ユーザに対する通知を行う。
【００７５】
これにより、放送受信装置や録画装置が故障しているとユーザが誤認する可能性を低減することが可能となる。
【００７６】
なお、実施例１と同様、ユーザに対する通知はスピーカ（不図示）などを用いて行われてもよい。
【実施例３】
【００７７】
実施例３では、ユーザが指定した時刻に電源をオフにする放送受信装置について説明する。また、本実施例に係る放送受信装置は、実施例１の放送受信装置と同様、予約視聴機能も備える。
【００７８】
図１１は、実施例３に係る放送受信装置１１００の構成を示す機能ブロック図である。図１１において、図１と同一又は同様の機能を持つブロックには同一の符号を付し、説明を省略する。
【００７９】
設定情報保持部１１０４は、予約番組の識別子や、予約が行われた時点で予定されている予約番組の放送開始時刻などの情報を含む、予約情報を記憶（格納）する。設定情報保持部１１０４はまた、放送受信装置１１００の電源をオフにする時刻を記憶する。設定情報保持部１０４は例えば、ＳＲＡＭなどのメモリを含む。
【００８０】
予約タイマ処理部１０５は、設定情報保持部１１０４から電源をオフにする時刻を取得し、現在時刻が取得した時刻になるとその旨を動作判定部１１０６に通知する。
【００８１】
動作判定部１１０６は、放送受信装置１１００の電源をオフにするか否かの判定、及びサブディスプレイ１１１を用いた通知を行うか否かの判定を行う。ここでの動作の詳細は、図１２を参照して後述する。
【００８２】
ここで、ユーザが放送受信装置１１００の電源をオフにする時刻を設定する手順の一例を簡単に説明する。ユーザはリモコン（不図示）を介して、放送受信装置１１００に電源オフにする時刻を指示する。放送受信装置１１００は指示を受けると、この時刻を設定情報保持部１１０４に格納する。
【００８３】
図１２は、放送受信装置１１００の動作判定部１１０６が実行する処理の流れを示すフローチャートである。動作判定部１１０６は、現在時刻が電源をオフにする時刻になった旨の通知を予約タイマ処理部１０５から受けると、本フローチャートの処理を開始する。
【００８４】
Ｓ１２０１で、動作判定部１１０６は、予約番組の放送時間を取得する。具体的には、動作判定部１１０６は設定情報保持部１１０４から予約番組の識別子を取得し、取得した識別子が示す放送番組の放送時間を番組情報保持部１０３を介して放送波から取得する。
【００８５】
Ｓ１２０２で、動作判定部１１０６は、現在時刻が予約番組の放送時間中か否か（即ち、放送受信装置１１００が予約番組を出力中か否か）を判定する。放送時間中の場合はＳ１２０３に進み、そうでない場合はＳ１２０４に進む。
【００８６】
Ｓ１２０３で、動作判定部１１０６は、表示制御部１０７を介して、予約番組放送中のために電源オフを行わない旨のメッセージをサブディスプレイ１１１に表示し、Ｓ１２０１に戻る。
【００８７】
Ｓ１２０４で、動作判定部１１０６は、放送受信装置１１００の電源をオフにする処理を行う。
【００８８】
以上説明したように、本実施例によれば、放送受信装置は、電源をオフにする時刻としてユーザが指定した時刻において予約番組を放送中の場合、電源をオフにせずにサブディスプレイにメッセージを表示する。
【００８９】
これにより、ユーザが意図する時刻に放送受信装置の電源がオフにならない場合に放送受信装置が誤作動しているのではないかとユーザが誤認する可能性が減少する。
【実施例４】
【００９０】
実施例４では、接続している外部装置からの制御要求に基づいて動作を行う映像表示装置について説明する。
【００９１】
図１３は、実施例４における映像表示装置１３０１及び映像再生装置１３０２（外部装置）の接続状態を示す図である。
【００９２】
映像表示装置１３０１は、外部から入力された映像信号を表示するものであり、例えば放送受信装置のようなものである。
【００９３】
映像再生装置１３０２は、映像信号を外部に出力するものであり、例えば光ディスクプレーヤのようなものである。
【００９４】
接続１３０３は、映像表示装置１３０１と映像再生装置１３０２を接続するものであり、接続１３０３を通してお互いの装置を制御できる。接続１３０３は例えば、ＨＤＭＩ(High Definition Multimedia Interface)による接続のようなものである
映像再生装置１３０２は、接続１３０３を通して映像表示装置１３０１に電源連動要求を送ることが可能である。映像表示装置１３０１は電源連動要求を受け取ると電源状態をＯＮ状態からＯＦＦ状態またはＯＦＦ状態からＯＮ状態に変更する。
【００９５】
図１４は、実施例４における映像表示装置１３０１の構成を示す機能ブロック図である。図１４において、図１と同一又は同様の機能を持つブロックには同一の符号を付し、説明を省略する。
【００９６】
初期設定情報保存部１４０１は、映像表示装置１３０１の動作を規定する設定値の初期値を保持する。設定値の種別の１つに外部の装置からの電源連動要求を許可するかどうかの設定として電源連動要求許可設定があり、電源連動要求許可設定の初期値は許可することを表す「連動可」を保持する。
【００９７】
設定情報保存部１４０２は、映像表示装置１３０１の動作を規定する設定値を保持する。初期状態では初期設定情報保存部１４０１が保持している設定値と同じ内容の設定値を保持し、ユーザが映像表示装置１３０１の動作を変更した場合、変更後の動作を表す値を保持する。
【００９８】
設定情報保存部１４０２が保持している電源連動要求許可設定には初期状態では初期設定情報保存部１４０１が保持している値と同じ「連動可」が保持してある。ユーザが電源連動要求を許可しないように映像表示装置１３０１の動作を変更した場合、変更後の動作を表す値として「連動不可」を保持する。
【００９９】
外部装置要求処理部１４０３は、映像表示装置１３０１に接続している外部装置からの要求に応じて処理を行う。
【０１００】
電源制御部１４０４は映像表示装置１３０１の電源状態の変更を行う。
【０１０１】
外部装置要求受信部１４０６は、映像表示装置１３０１に接続している外部装置からの要求を受信する。
【０１０２】
図１５は、実施例４における外部装置要求処理部１４０３が行う処理の流れを示すフローチャートである。
【０１０３】
Ｓ１５０１において外部装置要求処理部１４０３は、外部装置要求受信部１４０６が映像表示装置１３０１に接続している外部装置（ここでは映像再生装置１３０２）からの電源連動要求を受信したことを通知してくるのを待つ。そして、通知を受け取ったらＳ１５０２に進む。
【０１０４】
Ｓ１５０２において外部装置要求処理部１４０３は設定情報保存部１４０２から電源連動要求許可設定を取得する。
【０１０５】
Ｓ１５０３において外部装置要求処理部１４０３は電源連動要求許可設定を元に判定を行う。電源連動要求許可設定が「連動可」の場合はＳ１５０４に進む。電源連動要求許可設定が「連動不可」の場合はＳ１５０５に進む。
【０１０６】
Ｓ１５０４において外部装置要求処理部１４０３は電源制御部１４０４を使用して電源連動要求にあわせて電源状態をＯＮ状態からＯＦＦ状態またはＯＦＦ状態からＯＮ状態に変更する。
【０１０７】
Ｓ１５０５において外部装置要求処理部１４０３は表示制御部１０７を使用してサブディスプレイ１１１に電源連動要求許可設定が初期値の「連動可」から変更されているため電源状態の変更を行わない旨の表示を行う。
【０１０８】
電源連動要求許可設定が初期値の「連動可」から「連動不可」に変更されている場合に、設定値に基づいて動作を行うだけでは、ユーザは設定値が変わっていることに気付かない可能性がある。そのため、映像表示装置１３０１又は映像再生装置１３０２が誤作動しているのではないかとユーザが誤認する可能性がある。
【０１０９】
上記によりサブディスプレイ１１１に電源連動要求許可設定が初期値の「連動可」から変更されているため電源状態の変更を行わない旨の表示を行うと、ユーザは電源連動が動作しない理由を知ることができる。従って、映像表示装置１３０１又は映像再生装置１３０２が誤作動しているのではないかと誤認する可能性が減少する。
【実施例５】
【０１１０】
実施例５では、年齢等による視聴制限が設定可能であり、ユーザが暗証番号の入力等により視聴制限を一時的に解除することができる放送受信装置を用いて説明する。
【０１１１】
図１６は、実施例５に係る放送受信装置１６００の構成を示す機能ブロック図である。図１６において、図１と同一又は同様の機能を持つブロックには同一の符号を付し、説明を省略する。
【０１１２】
制限情報保持部１６０５は、放送受信装置１６００の動作を制限する情報を保持するものである。
【０１１３】
制限状態判定部１６０６は、制限情報保持部１６０５の情報を基に放送受信装置１６００が行う動作制限を判定する。
【０１１４】
入力部１６２１は、ユーザからの入力を受け付けるものであり、リモコン信号の受信等を行う。
【０１１５】
図１７は、実施例５における制限状態判定部１６０６の処理の流れを示すフローチャートである。
【０１１６】
Ｓ１７０１において制限状態判定部１６０６は制限情報保持部１６０５から視聴制限の制限条件に関する情報を取得する。
【０１１７】
Ｓ１７０２において制限状態判定部１６０６は番組情報保持部１０３から放送番組に関する情報を取得する。
【０１１８】
Ｓ１７０３において制限状態判定部１６０６は放送番組に関する情報が視聴制限の制限条件に抵触するかどうかを判定する。判定の結果制限条件に抵触しない場合はＳ１７０４に進む。抵触する場合はＳ１７０５に進む。
【０１１９】
Ｓ１７０４において制限状態判定部１６０６はメインディスプレイ１１２を使用して放送番組の表示を行う。
【０１２０】
Ｓ１７０５において制限状態判定部１６０６は表示制御部１０７を使用して視聴制限を一時的に解除するか確認を行い、確認内容を入力部１６２１から受け取る。
【０１２１】
Ｓ１７０６において制限状態判定部１６０６は視聴制限を一時的に解除する場合Ｓ１７０７に進む。解除しない場合は放送番組を表示することなく処理を終了する。
【０１２２】
Ｓ１７０７において制限状態判定部１６０６は表示制御部１０７を使用してサブディスプレイ１１１に視聴制限が一時的に解除されている旨を表示する。
【０１２３】
視聴制限が設定してある放送受信装置１６００において、視聴制限が一時的に解除してある場合を考える。この場合、視聴制限に抵触する放送番組が表示されているのを、視聴制限解除を行わなかったユーザが見たり、ユーザが視聴制限解除を行ったことを忘れたりした場合に、視聴制限設定が正しく動作していないのではないかとユーザが誤認する可能性がある。
【０１２４】
上記により視聴制限が一時的に解除されている旨を表示すると、ユーザは視聴制限設定が動作していない理由を知ることができ、放送受信装置が誤作動しているのではないかと誤認する可能性が減少する。
【０１２５】
なお視聴制限以外にも、放送受信装置における画質設定の一時的な変更等にも本実施例を適用可能である。
【０１２６】
［その他の実施例］
上述した各実施例の機能を実現するためには、各機能を具現化したソフトウェアのプログラムコードを記録した記録媒体をシステム或は装置に提供してもよい。そして、そのシステム或は装置のコンピュータ（又はＣＰＵやＭＰＵ）が記録媒体に格納されたプログラムコードを読み出し実行することによって、上述した各実施例の機能が実現される。この場合、記録媒体から読み出されたプログラムコード自体が上述した各実施例の機能を実現することになり、そのプログラムコードを記録した記録媒体は本発明を構成することになる。このようなプログラムコードを供給するための記録媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。
【０１２７】
また、上述した各実施例の機能を実現するための構成は、コンピュータが読み出したプログラムコードを実行することだけには限られない。そのプログラムコードの指示に基づき、コンピュータ上で稼動しているＯＳ（オペレーティングシステム）などが実際の処理の一部又は全部を行い、その処理によって上述した各実施例の機能が実現される場合も含まれている。
【０１２８】
更に、記録媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって上述した各実施例の機能が実現される場合も含むものである。
【図面の簡単な説明】
【０１２９】
【図１】実施例１に係る放送受信装置の構成を示す機能ブロック図である。
【図２】実施例１に係る放送受信装置の動作判定部が実行する処理の流れを示すフローチャートである。
【図３】実施例１における予約番組の放送時間と放送受信装置の状態との関係を示す図である。
【図４】実施例１に係る放送受信装置の表示状態の一例を示す図である。
【図５】実施例１の変形例を示すフローチャートである。
【図６】実施例２に係る放送受信装置と録画装置との接続関係を示す図である。
【図７】実施例２に係る放送受信装置の構成を示す機能ブロック図である。
【図８】実施例２に係る放送受信装置の動作判定部が実行する処理の流れを示すフローチャートである。
【図９】実施例２に係る放送受信装置における予約状態の例を示す図である。
【図１０】図９に示す予約状態において予約番組の放送時間が変更された場合の放送受信装置の動作を示す図である。
【図１１】実施例３に係る放送受信装置の構成を示す機能ブロック図である。
【図１２】実施例３に係る放送受信装置の動作判定部が実行する処理の流れを示すフローチャートである。
【図１３】実施例４における映像表示装置及び映像再生装置（外部装置）の接続状態を示す図である。
【図１４】実施例４における映像表示装置の構成を示す機能ブロック図である。
【図１５】実施例４における外部装置要求処理部が行う処理の流れを示すフローチャートである。
【図１６】実施例５に係る放送受信装置の構成を示す機能ブロック図である。
【図１７】実施例５における制限状態判定部の処理の流れを示すフローチャートである。
【図１】
2009303183.tif 000003
【図２】
2009303183.tif 000004
【図３】
2009303183.tif 000005
【図４】
2009303183.tif 000006
【図５】
2009303183.tif 000007
【図６】
2009303183.tif 000008
【図７】
2009303183.tif 000009
【図８】
2009303183.tif 000010
【図９】
2009303183.tif 000011
【図１０】
2009303183.tif 000012
【図１１】
2009303183.tif 000013
【図１２】
2009303183.tif 000014
【図１３】
2009303183.tif 000015
【図１４】
2009303183.tif 000016
【図１５】
2009303183.tif 000017
【図１６】
2009303183.tif 000018
【図１７】
2009303183.tif 000019